(57)【要約】【課題】無通電で曇りの発生を防ぐとともに、顧客の衣服等が濡れることを防止する。【解決手段】保冷ショーケースに使用されるドア構造であって、保冷ショーケースの庫外側に位置する第１のガラス板１３と、この第１のガラス板１３と所定の距離を隔てて対向しかつ庫内側に位置する第２のガラス板１４と、これら第１および第２のガラス板の周縁部を保持することでこれらの一体構造を構成するサッシ１２とを備える。サッシ１２は、第１のガラス板１３と第２のガラス板１４とサッシ１２とで囲まれた空間内部をその外部に連通する部位（貫通孔１２ａ）を有する。第２のガラス板１４は、その庫外側の面に防曇膜が設けられている。【選択図】図１
2006336884.tif 000002
【特許請求の範囲】
【請求項１】
保冷ショーケースに使用されるドア構造であって、
保冷ショーケースの庫外側に位置する第１のガラス板と、この第１のガラス板と所定の距離を隔てて対向しかつ庫内側に位置する第２のガラス板と、これら第１および第２のガラス板の周縁部を保持することでこれらの一体構造を構成するサッシとを備え、
前記サッシは、第１のガラス板と第２のガラス板と前記サッシとで囲まれた空間内部をその外部に連通する部位を有し、
前記第２のガラス板は、その庫外側の面に防曇膜が設けられていることを特徴とするドア構造。
【請求項２】
前記第２のガラス板の庫外側の面に設けられた防曇膜は、親水膜である請求項１に記載のドア構造。
【請求項３】
前記第１のガラス板は、その庫内側の面に低輻射膜が設けられている請求項１または２に記載のドア構造。
【請求項４】
前記第２のガラス板の替わりに複層ガラスを用いた請求項１〜３の何れか一項に記載のドア構造。
【請求項５】
請求項１〜４の何れか一項に記載のドア構造を備えたことを特徴とする保冷ショーケース。
【発明の詳細な説明】
【技術分野】
【０００１】
本発明は、ドア構造および保冷ショーケースに関し、特にコンビニエンス・ストア等で商品の冷蔵または冷凍保管に使用される保冷ショーケース用のドア構造、およびこのドア構造を用いた保冷ショーケースに関する。
【背景技術】
【０００２】
従来、コンビニエンス・ストア等においては、保冷ショーケース内に各種商品（飲料品、生鮮食品、冷凍食品等）を保管し販売している。保冷ショーケースは正面にサッシとガラス板で構成されたドアを備え、サッシの正面にはハンドルが取り付けられている。このハンドルを顧客が開閉操作することで、ドアを前後に開閉することができる。また、ドアは周縁のサッシを除いて概ねガラス製のため、顧客は庫内の商品をドアを開くことなく識別かつ選択できる。そのため、ドアのガラス面に、結露によって曇りが生じることは販促上大きな支障となり、従来においては、ガラス面にフッ素ドープ酸化スズやＩＴＯ（スズドープ酸化インジウム）等の透明導電膜を設け、これに通電して発熱させることで、曇りの発生を防いでいた（特許文献１を参照）。
【０００３】
【特許文献１】特開平６−２９４５７３号公報
【発明の開示】
【発明が解決しようとする課題】
【０００４】
しかしながら、このような透明導電膜は、例えば１５０Ｗ／ｍ２といった比較的大きな電力を消費するが、昨今の省エネルギーに対する消費者ニーズに応えるべく、無通電による曇り防止の手法が求められる。その一手法としては、ガラス面に親水性または吸水性の防曇膜を設けることが検討されている。
【０００５】
しかし、親水性の防曇膜を用いた場合、結露した水分がガラス面に広がるため、ガラスが濡れた状態となり、ドアを開閉しようとした顧客の手や衣服等が濡れてしまうという問題が生じる。また、吸水性の防曇膜においても、水分の吸収量に限界があるため、限界を超えた場合には結露した水滴によってガラス面が曇るといった上記同様の問題が生じる。
【０００６】
本発明は、このような課題を解決するものであり、無通電で曇りの発生を防ぐとともに、顧客の衣服等が濡れることを防止するドア構造および保冷ショーケースを提供することを目的とする。
【課題を解決するための手段】
【０００７】
以上の目的を達成するために本発明は、保冷ショーケースに使用されるドア構造であって、保冷ショーケースの庫外側に位置する第１のガラス板と、この第１のガラス板と所定の距離を隔てて対向しかつ庫内側に位置する第２のガラス板と、これら第１および第２のガラス板の周縁部を保持することでこれらの一体構造を構成するサッシとを備え、前記サッシは、第１のガラス板と第２のガラス板と前記サッシとで囲まれた空間内部をその外部に連通する部位を有し、前記第２のガラス板は、その庫外側の面に防曇膜が設けられていることを特徴とするドア構造を提供する。
【０００８】
また、本発明の一態様において、前記第２のガラス板の庫外側の面に設けられた防曇膜は、親水膜であることが好ましい。また、本発明の一態様において、前記第１のガラス板は、その庫内側の面に低輻射膜が設けられていることが好ましい。また、本発明の一態様において、前記第２のガラス板の替わりに複層ガラスを用いることが好ましい。さらに、本発明は、上記何れかのドア構造を備えたことを特徴とする保冷ショーケースを提供する。
【発明の効果】
【０００９】
本発明は、第１のガラス板と第２のガラス板とサッシとで囲まれた空間内部をその外部に連通する貫通孔をサッシに設け、第２のガラス板の庫外側面に防曇膜を設けたことにより、ドアに曇りが生じることを防ぐことができる。また、第２のガラス板が結露によって濡れてしまったとしても、第２のガラス板の前面に第１のガラス板が対向して設置されているため、顧客の衣服等が濡れることを防止できる。さらに、サッシに貫通孔を設けたことにより、この貫通孔を介して外部の空気が流通するため、第２のガラス板を乾燥させることができるといった利点もある。
【００１０】
また、庫外側に位置する第１のガラス板に低輻射膜を設けることにより、庫内側に位置する第２のガラス板による放射冷却を低減でき、第１のガラス板において結露の発生を抑止できる。さらに、サッシの内側に溝を設けることで、ガラス面から垂れた水滴が収容され、ガラス板の下辺が結露で水浸しになるようなことも防ぐことができる。
【発明を実施するための最良の形態】
【００１１】
次に、本発明の一実施形態について説明する。
図１（ａ）は本発明に係る保冷ショーケースの一実施形態を示す正面図、同図（ｂ）はドアの角部を拡大した部分破断斜視図、（ｃ）はＢ−Ｂ’線矢視図を示す。同図（ａ）に示すように、保冷ショーケース１００は、建物と一体または別体のショーケース本体２０と、このショーケース本体２０の開口部に開閉自在に取り付けられた同じ大きさの２枚のドア１０とを備えている。２枚のドア１０は、サッシに取り付けられたハンドル１１を顧客が掴み、引くことによって観音扉様に開く。
【００１２】
なお、保冷ショーケースは、ショーケース本体の大きさに応じて、大型のものがウォークイン、小型のものがリーチインと一般に呼ばれるが、本発明は何れの態様も含む。また、使用するドアの枚数は２枚に限られず、１枚または３枚以上であってもよい。また、ドアの大きさ、形状および開閉方向等のそれぞれについて異種のものを適宜組み合わせることができる。
【００１３】
一方、同図（ｂ）に示すように、ドア１０は、正面に位置するガラス板１３と、背面に位置する図示しないガラス板の周縁を金属製（一部に樹脂を使用することもある）のサッシ１２で保持することで構成される。また、同図（ｃ）に示すように、ドア１０の下辺に位置するサッシ１２には、スリット状の貫通孔１２ａとその隅近傍に設けられたピン１２ｂとが設けられ、ドア１０の上辺（図示せず）に位置するサッシ１２にも同様に貫通孔とピンが設けられている。また、ピンはショーケース本体２０の開口部に固定されたフレームに設けられた孔と嵌合し、ドア１０はこれらのピンを回動軸として枢設されている。
【００１４】
図２（ａ）は、Ｃ−Ｃ’線断面図である。同図に示すように２枚のガラス板１３、１４は、対向かつ離間して配設され、正面視において同一の矩形状を呈する。そして、それらの端部は、サッシ１２に設けられた溝に嵌合し、接着剤１５（またはシール剤、グレチャン）を介して固定されている。サッシ１２には、その断面形状から明らかなように、ガラス板１３、１４の端部を嵌合させるための溝だけでなく、ガラス面から垂れた水滴を収容するための溝１２ｃと、空気を流通させるための貫通孔１２ａとが設けられている。
【００１５】
このように、サッシ１２の上辺および下辺に貫通孔１２ａを設けたことで空気が流通し、濡れたガラス板１４の乾燥を促進させるのに好適である。例えば上辺のサッシ１２を介して進入した空気は、ガラス板１４の表面で冷やされることで若干比重が高まり、下辺のサッシ１２を介して外部に排出される。
【００１６】
これらの貫通孔は、サッシ１２および２枚のガラス板１３等で囲まれた空間内部とその外部とを連通するものであり、内外に亘って空気の流通を実現するものである。もちろん左右の側辺の両方または一方についても貫通孔を設けてもよいし（例えば図３（ａ）を参照）、貫通孔の形状（長方形、正方向、円形等）や個数（各辺につき１個または２個以上）は適宜変更され、図１（ｃ）に示すものに限られない。また、図３（ｂ）に示すようにサッシ自体に貫通孔１２ａを設ける替わりに、庫外側のガラス板を装着したサッシ１２−１と庫内側のガラス板を装着したサッシ１２−２とを複数の金属スペーサ１６を介して連結することで、各スペーサ１６間に隙間を設けることができる。その結果、この隙間が図１（ｃ）に示した貫通孔１２ａと同等の機能を発揮し、空気を流通させてガラス板に生じた結露を乾燥させる働きを奏する。
【００１７】
また、サッシ１２の下辺に溝１２ｃを設けたことで、ガラス板１４で発生した水滴を収容することができ、ガラス板の下辺に水滴が溢れて目立つようなことを防ぐことができる。溝１２ｃには外部に通じる貫通孔を設け、溜まった水滴が外部に排出されるようにしてもよい。また、ガラス板１３は、庫内側に設置されたガラス板１４から一定距離だけ離間して設置されているため冷え難く、結露による曇りが生じにくい。よって、ドアを開閉しようとする顧客の手や衣服等が濡れることを防ぐことができる点で好適である。
【００１８】
一方、ガラス板１４の庫外側の面には、親水膜１４ａが設けられ、ガラス板１３の庫内側の面には、低輻射膜１３ａが設けられている。ここで、防曇処理の具体的な手法について述べる。防曇機能を有する固形分を溶剤に溶解させて得た薬液をガラス板に塗布し、溶剤を揮発・乾燥させることでガラス板の表面に防曇膜を形成する。なお、防曇膜を透明の樹脂フィルム上に形成することで得られた防曇性樹脂フィルムをガラス板に貼付しても構わない。
【００１９】
また、この防曇膜は、空気中の水分や膜表面に吸着した水分を膜中に吸収することで膜表面の水滴形成を阻害し、防曇機能を発揮する吸水性樹脂膜であっても、膜表面に付着した水の接触角を１０°以下程度まで低下せしめ水膜とし水滴の形成を阻害する親水性膜のどちらであっても構わない。親水性膜はその表面に吸着した水が膜状となる。吸水性樹脂膜としては、例えばポリアクリル酸エステルとエポキシをアルコールで溶解し、これをガラス表面に塗布し、加熱乾燥して形成する方法がある。
【００２０】
また、この防曇膜の膜付け方法は、特定の方法に制限されるものではなく、ディップコート法、スプレーコート法、スピンコート法、ノズルフローコート法、刷毛塗り法並びにそれらの併用など既知の塗布方法から任意に選択することができる。
【００２１】
また、この防曇膜は、耐久性を増すためにＳｉＯ２などの下地層があっても構わない。この下地層は、ゾル−ゲル法を用いたウェットコーティングで塗布して形成することもできるし、スパッタ法やＣＶＤ法を用いたドライコーティングで製膜することもできる。この防曇膜および防曇性樹脂フィルムは、完全に透明であることが視認性の観点から好ましいが、視認性を損なわない程度に着色されていても構わない。さらに、防曇性樹脂フィルムを貼付する場合では、フィルムをガラスに密着させ固定させるために接着剤を用いることもできる。接着剤の種類は特に限定されるものではないが、視認性の観点から、完全に透明であることが好ましい。
【００２２】
なお、防曇膜としては、公知の特開２００５−１１９９２０号公報等に開示されている親水膜を適用できる。また、低輻射膜としては、例えば特公平８−３２４３６号公報に開示されている透明導電性の膜や特開平６−１４４８７４号公報に開示されている熱線反射膜を適用できる。また、ガラス板１３の庫外側の面に低輻射膜をさらに設けたり、ガラス板１４の庫内側の面に防曇膜をさらに設けてもよい。低輻射膜１３ａは、適宜設けても設けなくてもよい。
【００２３】
また、ガラス板１４の替わりに複層ガラスを用いてもよい。図２（ｂ）に示すように、庫内側のガラス板として複層ガラス１４０を用いることで、より一層保冷効果を高めることができる。複層ガラス１４０は、一定距離離間して対向配設されたガラス板１４１と１４２とを、それらの周縁に沿って配設されたスペーサ１４３を挟んで構成された一般的な複層ガラスである。庫外側のガラス板１４１の庫外側面には、曇りの発生を防ぐための親水膜１４１ａが設けられている。親水膜１４１ａの種類としては、図２（ａ）に示した浸水膜１４ａと同様のものが適用できるとともに、吸水膜を使用してもよい。
【産業上の利用可能性】
【００２４】
以上説明したとおり、本発明に係るドア構造は、冷蔵または冷凍食品等を保管するのに使用される保冷ショーケースに好適である。また、本発明は、開き戸だけでなく、引き戸や固定窓等にも適用できることは明らかである。また、本発明は、自動車、鉄道車両、航空機、船舶、または建築物の窓に適用することもできる。さらに、本発明に係るドア構造において、ガラス板の替わりに合わせガラスや複層ガラスを適宜用いることができる。
【図面の簡単な説明】
【００２５】
【図１】（ａ）本発明に係る保冷ショーケースの一実施形態を示す正面図、（ｂ）ドアの角部を拡大した部分破断斜視図、（ｃ）Ｂ−Ｂ’線矢視図を示す。
【図２】（ａ）本発明に係るサッシの一実施形態、（ｂ）その他の実施形態を示す断面図である。
【図３】（ａ）、（ｂ）サッシのその他の実施形態を示す斜視図である。
【符号の説明】
【００２６】
１００：保冷ショーケース
２０：ショーケース本体
１０：ドア
１１：ドアレバー
１２：サッシ
１２ａ：貫通孔
１２ｂ：ピン
１３、１４：ガラス板
１３ａ：低輻射膜
１４ａ：親水膜
１４０：複層ガラス
１４１、１４２：ガラス板
１４１ａ：親水膜
１４３：スペーサ
【図１】
2006336884.tif 000003
【図２】
2006336884.tif 000004
【図３】
2006336884.tif 000005